(57)【要約】【課題】  情報信号（例えば、音声信号）を伝送するためにデジタル信号に変換し、伝送後にアナログ信号に変換する場合、該信号が正確に復元されるようにする。【解決手段】音声信号を例にして説明すると、音声アナログ信号ＳＬＡ，ＳＲＡはＡＤ変換部２０によってデジタル信号ＳＬＤ，ＳＲＤに変換されるが、そのためのクロック信号ＣＰはクロック信号発生部２１から供給される。伝送された音声デジタル信号ＳＬＤ，ＳＲＤはＤＡ変換部３０によってアナログ信号ＳＬＡ，ＳＲＡに変換されるが、そのためのクロック信号ＣＰＲＢは、クロック信号発生部２１にて発生されて受信器３の側に伝送されてきたものである。この装置によれば、ＡＤ変換及びＤＡ変換は同一のクロック信号発生部２１にて発生されたクロック信号に基づき行われるので、サンプリング周波数を完全に一致させることが可能となり、音声信号を正確に復元することができる。【選択図】  図１
2006081090.tif 000002
【特許請求の範囲】
【請求項１】
少なくとも１種類の情報信号を送信器から受信器に伝送する情報信号伝送装置において、
前記送信器に配置されて、前記受信器に伝送するために少なくとも１種類の情報信号をアナログ形式からデジタル形式に変換するＡＤ変換部と、
前記受信器に配置されて、前記ＡＤ変換部にてデジタル形式に変換されて伝送されてきた情報信号をアナログ形式に再変換するＤＡ変換部と、
前記ＡＤ変換部及び前記ＤＡ変換部の双方にクロック信号を供給して、前記ＡＤ変換部及び前記ＤＡ変換部が同じサンプリング周波数で信号の形式を変換できるようにするクロック信号発生部と、
を設けたことを特徴とする情報信号伝送装置。
【請求項２】
前記送信器に配置されて、前記ＡＤ変換部によりデジタル形式に変換された信号を前記クロック信号に基づき周波数変調する変調部と、
前記受信器に配置されて、前記周波数変調されて伝送されてきた信号からクロック信号を再生するクロック信号再生部と、
前記受信器に配置されて、前記周波数変調されて伝送されてきた信号を周波数変調される前の信号に復調する復調部と、を設け、
前記ＤＡ変換部は、前記復調部によって復調された信号をアナログ形式に変換するものであり、
前記ＤＡ変換部が信号の変換に用いるクロック信号は、前記クロック信号発生部より供給され前記クロック信号再生部にて再生された信号である、
ことを特徴とする請求項１に記載の情報信号伝送装置。
【請求項３】
前記クロック信号発生部が前記送信器に配置され、
前記送信器と前記受信器との間には、前記クロック信号発生部から前記ＤＡ変換部へのクロック信号の伝送を行うケーブルが介装され、
該ケーブルを伝送されるときのクロック信号の周波数が１０ＭＨｚ以下である、
ことを特徴とする請求項１又は２に記載の情報信号伝送装置。
【請求項４】
前記受信器には、前記ＤＡ変換部に供給されるクロック信号の周波数を逓倍する周波数逓倍部が設けられた、
ことを特徴とする請求項２又は３に記載の情報信号伝送装置。
【請求項５】
前記ＡＤ変換部は、アナログ形式の左側音声信号及び右側音声信号を１６ビットのデジタル形式の信号にそれぞれ変換するものであり、
該ＡＤ変換部には、デジタル形式の左側音声信号及び右側音声信号をシリアル信号に変換するパラレル／シリアル変換部を接続し、
前記変調部は、前記パラレル／シリアル変換部により変換されたシリアル信号を、前記クロック信号発生部から供給された１．４ＭＨｚ以上の周波数のクロック信号に基づき周波数変調するものであり、
前記ＤＡ変換部には、前記変調部にて周波数変調されて伝送されてきたシリアル信号をパラレル信号に変換して前記ＤＡ変換部に出力するシリアル／パラレル変換部を接続した、
ことを特徴とする請求項２乃至４のいずれか１項に記載の情報信号伝送装置。
【請求項６】
前記送信器から前記受信器に伝送される情報信号は音声信号及び映像信号であり、
前記変調部により周波数変調される情報信号は前記音声信号であり、
前記音声信号が前記送信器から前記受信器に伝送されたことに伴い減衰した減衰度合いを検知する減衰度合い検知部と、
該減衰度合い検知部にて検知した減衰度合いに基づき、伝送されたことに伴い減衰した前記映像信号を減衰前の状態に復元する映像信号復元部と、を設けた、
ことを特徴とする請求項２乃至５のいずれか1項に記載の情報信号伝送装置。
【請求項７】
少なくとも１種類の情報信号を送信器から受信器に伝送する情報信号伝送方法において、
前記送信器の側にて、少なくとも１種類の情報信号をアナログ形式からデジタル形式に変換するステップと、
該デジタル形式に変換された情報信号を前記受信器に伝送するステップと、
前記受信器の側にて、前記デジタル形式に変換されて伝送されてきた情報信号をアナログ形式に再変換するステップと、を備え、
前記情報信号をデジタル形式に変換するステップと、前記情報信号をアナログ形式に再変換するステップとは、同一のクロック信号発生部にて発生されたクロック信号を利用して、同じサンプリング周波数で行われる、
ことを特徴とする情報信号伝送方法。
【請求項８】
前記送信器の側にて、前記デジタル形式に変換された信号を前記クロック信号に基づき周波数変調した上で伝送するステップと、
該周波数変調されて前記受信器に伝送されてきた信号からクロック信号を再生するステップと、
該周波数変調されて前記受信器に伝送されてきた信号を周波数変調される前の信号に復調するステップと、を備え、
前記アナログ形式に再変換される信号は、前記復調された信号であり、
前記アナログ形式への再変換に用いられるクロック信号は、前記再生されたクロック信号である、
ことを特徴とする請求項７に記載の情報信号伝送方法。
【発明の詳細な説明】
【技術分野】
【０００１】
本発明は、送信器から受信器に情報信号を伝送する情報信号伝送装置、及び情報信号伝送方法に関する。
【背景技術】
【０００２】
従来、送信器から受信器に情報信号を伝送するようにした情報信号伝送装置が提案されている（例えば、特許文献１参照）。
【０００３】
図７は、従来の情報信号伝送装置の構成の一例を示すブロック図である。図中の符号１００は、情報信号を送信する送信器を示し、符号１１０は、該送信器１００からの情報信号を受信する受信器を示す。また、符号１０１は、送信器１００の側に配置されて、情報信号をアナログ形式からデジタル形式に変換するＡＤ変換部を示し、符号１０２は、送信器１００の側に配置されて前記ＡＤ変換部１０１にクロック信号を供給する発振器（以下、“送信器側発振器”とする）を示す。さらに、符号１１１は、受信器１１０の側に配置されて、伝送されてきた情報信号をデジタル形式からアナログ形式に変換するためのＤＡ変換部を示し、符号１１２は、受信器１１０の側に配置されて前記ＤＡ変換部１１１にクロック信号を供給する発振器（以下、“受信器側発振器”とする）を示す。
【０００４】
このような情報信号伝送装置においては、上述のように送信器側及び受信器側のそれぞれに発振器１０２，１１２が配置されているが、送信器１００に入力されたアナログ信号を受信器１１０の側で正確に復元するためには、ＡＤ変換部１０１のサンプリング周波数とＤＡ変換部１１１のサンプリング周波数とが同じである必要（誤差を含まずに厳密に一致する必要）があった。そのため、送信器側発振器１０２と受信器側発振器１１２には同じ規格のものが用いられていた。
【０００５】
【特許文献１】特開２００２−１７１１７６号公報
【発明の開示】
【発明が解決しようとする課題】
【０００６】
しかしながら、上述のように、送信器側発振器１０２と受信器側発振器１１２とに、同じ規格のものを使用して同一周波数のクロック信号を発生させようとしても、発振器自体にもともと個体差があり、クロック信号の周波数が厳密には一致しない場合があり得る。例えば、送信器側発振器１０２から出力されるクロック信号の周波数が１０．１ＭＨｚで、受信器側発振器１１２から出力されるクロック信号の周波数が９．９ＭＨｚのような場合である。そのような場合には、各クロック信号から得られるサンプリング周波数も厳密に一致せず、受信器側に伝送されて来るデジタル信号とＤＡ変換部１１１との間で同期が取れなくなり、アナログ信号を正確に復元することができなくなるという問題があった。
【０００７】
本発明は、伝送した情報信号を正確に復元することのできる情報信号伝送装置及び情報信号伝送方法を提供することを目的とするものである。
【課題を解決するための手段】
【０００８】
請求項１に係る発明は、図１に例示するものであって、少なくとも１種類の情報信号（Ｓ）を送信器（２）から受信器（３）に伝送する情報信号伝送装置（１）において、
前記送信器（２）に配置されて、前記受信器（３）に伝送するために少なくとも１種類の情報信号（Ｓ）をアナログ形式（ＳＬＡ，ＳＲＡ）からデジタル形式（ＳＬＤ，ＳＲＤ）に変換するＡＤ変換部（２０）と、
前記受信器（３）に配置されて、前記ＡＤ変換部（２０）にてデジタル形式に変換されて伝送されてきた情報信号（ＳＬＤ，ＳＲＤ）をアナログ形式（ＳＬＡ，ＳＲＡ）に再変換するＤＡ変換部（３０）と、
前記ＡＤ変換部（２０）及び前記ＤＡ変換部（３０）の双方にクロック信号（ＣＰ，ＣＰＲＢ）を供給して、前記ＡＤ変換部（２０）及び前記ＤＡ変換部（３０）が同じサンプリング周波数で信号の形式を変換できるようにするクロック信号発生部（２１）と、を設けたことを特徴とする。
【０００９】
請求項２に係る発明は、請求項１に係る発明において、前記送信器（２）に配置されて、前記ＡＤ変換部（２０）によりデジタル形式に変換された信号を前記クロック信号（ＣＰ）に基づき周波数変調する変調部（２２）と、
前記受信器（３）に配置されて、前記周波数変調されて伝送されてきた信号（ＳＤＭ）からクロック信号（ＣＰＲＢ）を再生するクロック信号再生部（３１）と、
前記受信器（３）に配置されて、前記周波数変調されて伝送されてきた信号（ＳＤＭ）を周波数変調される前の信号に復調する復調部（３２）と、を設け、
前記ＤＡ変換部（３０）は、前記復調部（３２）によって復調された信号をアナログ形式に変換するものであり、
前記ＤＡ変換部（３０）が信号の変換に用いるクロック信号は、前記クロック信号発生部（２１）より供給され前記クロック信号再生部（３１）にて再生された信号（ＣＰＲＢ）である、ことを特徴とする。
【００１０】
請求項３に係る発明は、請求項１又は２に記載の発明において、前記クロック信号発生部（２１）が前記送信器（２）に配置され、
前記送信器（２）と前記受信器（３）との間には、前記クロック信号発生部（２１）から前記ＤＡ変換部（３０）へのクロック信号（ＣＰ）の伝送を行うケーブル（４）が介装され、
該ケーブル（４）を伝送されるときのクロック信号（ＣＰ）の周波数が１０ＭＨｚ以下である、ことを特徴とする。
【００１１】
請求項４に係る発明は、請求項２又は３に記載の発明において、前記受信器（３）には、前記ＤＡ変換部（３０）に供給されるクロック信号（ＣＰＲＢ）の周波数を逓倍する周波数逓倍部が設けられた、ことを特徴とする。
【００１２】
請求項５に係る発明は、請求項２乃至４のいずれか１項に記載の発明において、前記ＡＤ変換部（２０）は、アナログ形式の左側音声信号（ＳＬＡ）及び右側音声信号（ＳＲＡ）を１６ビットのデジタル形式の信号（ＳＬＤ，ＳＲＤ）にそれぞれ変換するものであり、
該ＡＤ変換部（２０）には、デジタル形式の左側音声信号（ＳＬＤ）及び右側音声信号（ＳＲＤ）をシリアル信号（ＳＤ）に変換するパラレル／シリアル変換部（２３）を接続し、
前記変調部（２２）は、前記パラレル／シリアル変換部（２３）により変換されたシリアル信号（ＳＤ）を、前記クロック信号発生部（２１）から供給された１．４ＭＨｚ以上の周波数のクロック信号（ＣＰ）に基づき周波数変調するものであり、
前記ＤＡ変換部（３０）には、前記変調部（２２）にて周波数変調されて伝送されてきたシリアル信号（ＳＤＭ）をパラレル信号（ＳＬＤ，ＳＲＤ）に変換して前記ＤＡ変換部に出力するシリアル／パラレル変換部（３３）を接続した、ことを特徴とする。
【００１３】
請求項６に係る発明は、請求項２乃至５のいずれか1項に記載の発明において、図１及び図４に例示するように、前記送信器（２）から前記受信器（３）に伝送される情報信号は音声信号（Ｓ）及び映像信号（Ｒ，Ｇ，Ｂ）であり、
前記変調部（２２）により周波数変調される情報信号は前記音声信号（Ｓ）であり、
前記音声信号（Ｓ）が前記送信器（２）から前記受信器（３）に伝送されたことに伴い減衰した減衰度合いを検知する減衰度合い検知部（３５６，３５９）と、
該減衰度合い検知部（３５６，３５９）にて検知した減衰度合いに基づき、伝送されたことに伴い減衰した前記映像信号（Ｒ，Ｇ，Ｂ）を減衰前の状態に復元する映像信号復元部（３５０，３５１）と、を設けた、ことを特徴とする。
【００１４】
請求項７に係る発明は、少なくとも１種類の情報信号（Ｓ）を送信器（２）から受信器（３）に伝送する情報信号伝送方法において、
前記送信器（２）の側にて、少なくとも１種類の情報信号（Ｓ）をアナログ形式（ＳＬＡ，ＳＲＡ）からデジタル形式（ＳＬＤ，ＳＲＤ）に変換するステップと、
該デジタル形式に変換された情報信号を前記受信器（３）に伝送するステップと、
前記受信器（３）の側にて、前記デジタル形式に変換されて伝送されてきた情報信号（ＳＬＤ，ＳＲＤ）をアナログ形式（ＳＬＡ，ＳＲＡ）に再変換するステップと、を備え、
前記情報信号（Ｓ）をデジタル形式（ＳＬＤ，ＳＲＤ）に変換するステップと、前記情報信号（ＳＬＤ，ＳＲＤ）をアナログ形式（ＳＬＡ，ＳＲＡ）に再変換するステップとは、同一のクロック信号発生部（２１）にて発生されたクロック信号（ＣＰ，ＣＰＲＢ）を利用して、同じサンプリング周波数で行われる、ことを特徴とする。
【００１５】
請求項８に係る発明は、請求項７に係る発明において、前記送信器（２）の側にて、前記デジタル形式に変換された信号（ＳＬＤ，ＳＲＤ）を前記クロック信号（ＣＰ）に基づき周波数変調した上で伝送するステップと、
該周波数変調されて前記受信器（３）に伝送されてきた信号（ＳＤＭ）からクロック信号（ＣＰＲＢ）を再生するステップと、
該周波数変調されて前記受信器（３）に伝送されてきた信号（ＳＤＭ）を周波数変調される前の信号（ＳＤ）に復調するステップと、を備え、
前記アナログ形式に再変換される信号は、前記復調された信号（ＳＤ）であり、
前記アナログ形式への再変換に用いられるクロック信号は、前記再生されたクロック信号（ＣＰＲＢ）である、ことを特徴とする。
【００１６】
なお、括弧内の番号などは、図面における対応する要素を示す便宜的なものであり、従って、本記述は図面上の記載に限定拘束されるものではない。
【発明の効果】
【００１７】
請求項１及び７に係る発明によれば、前記ＡＤ変換部及び前記ＤＡ変換部へのクロック信号の供給は、異なるクロック信号発生部からではなく、同じクロック信号発生部から行われるようになっている。このため、これらのＡＤ変換部及びＤＡ変換部が同じサンプリング周波数で信号の形式を変換（つまり、アナログ形式からデジタル形式への変換、或いはその逆の変換）することが可能となり、その結果、送信器側に入力されたアナログ信号を受信器側で正確に復元することができることとなる。また、クロック信号発生部を共用化できる分、クロック信号発生部の個数を減らして装置の構造を簡単にすることができる。
【００１８】
請求項２及び８に係る発明によれば、送信器側ではクロック信号に基づく周波数変調が行われ、受信器側では、伝送されてきた信号からクロック信号を再生するように構成されている。このため、情報信号とクロック信号とを同一の経路で伝送することができ、信号線の本数を減らすことができる。
【００１９】
請求項３に係る発明によれば、ケーブルを伝送されるときのクロック信号の周波数が１０ＭＨｚ以下であるので、クロック信号の減衰を少なくすることができる。
【００２０】
請求項４に係る発明によれば、前記受信器の側に周波数逓倍部が設けられているため、高い周波数のままでクロック信号を前記受信器に伝送する必要がなくなり、低い周波数でのクロック信号の伝送が可能となるので、クロック信号の減衰を少なくすることができる。
【００２１】
請求項５に係る発明によれば、音声を高品質のまま伝送することができる。
【００２２】
請求項６に係る発明によれば、前記送信器と前記受信器との間が離れていたとしても、高品質な映像を再生することができる。
【発明を実施するための最良の形態】
【００２３】
以下、図１及び図６に沿って、本発明を実施するための最良の形態について説明する。
【００２４】
図１は、本発明に係る情報信号伝送装置の構造の一例を示すブロック図であり、図６は、減衰補償部の構造を示すブロック図である。
【００２５】
本発明に係る情報信号伝送装置は、図１に符号１で示すように、送信器２と受信器３とを備えていて、少なくとも１種類の情報信号Ｓが前記送信器２から前記受信器３に伝送されるようになっている。ここで、情報信号とは、クロック信号を除く概念であって、音声や映像等の情報を伝送するための信号をいう。なお、“少なくとも１種類”であるから、例えば、音声信号のみが伝送されるように構成されていても良く、音声信号や映像信号などの２種類以上の情報信号が伝送されるように構成されていても良い。
【００２６】
ところで、前記送信器２にはＡＤ変換部２０が配置されると共に、前記受信器３にはＤＡ変換部３０が配置されていて、前記ＡＤ変換部２０は、前記受信器３に伝送するために少なくとも１種類の情報信号Ｓをアナログ形式ＳＬＡ，ＳＲＡからデジタル形式ＳＬＤ，ＳＲＤに変換し、前記ＤＡ変換部３０は、前記ＡＤ変換部２０にてデジタル形式に変換されて伝送されてきた情報信号ＳＬＤ，ＳＲＤをアナログ形式ＳＬＡ，ＳＲＡに再変換するように構成されている。本装置においては、“少なくとも１種類の情報信号”がＡＤ変換及びＤＡ変換される必要がある。したがって、送信器２から受信器３へ伝送される情報信号が１種類のみである場合には、その情報信号は必ずＡＤ変換及びＤＡ変換される必要があるが、送信器２から受信器３へ伝送される情報信号が２種類以上ある場合には、少なくとも１種類の情報信号がＡＤ変換及びＤＡ変換されれば足り、全ての情報信号がＡＤ変換及びＤＡ変換される必要は無い。
【００２７】
さらに、本発明に係る情報信号伝送装置１は、クロック信号ＣＰを発生させるためのクロック信号発生部（図１の符号２１参照）を備えており、該クロック信号発生部は、前記ＡＤ変換部２０及び前記ＤＡ変換部３０の双方にクロック信号ＣＰ，ＣＰＲＢを供給するように構成されている。図７に示した従来装置の場合は、ＡＤ変換部１０１及びＤＡ変換部１１１へのクロック信号の供給は、異なる発振器（本発明のクロック信号発生部に相当）１０２，１１２から行われるようになっていたため、規格の同じ発振器を使用したとしても発振器自体の個体差が原因でクロック信号の周波数が厳密には一致せず、送信器側に入力されたアナログ信号が受信器側で正確に復元されない場合があった。これに対して、本発明によれば、前記ＡＤ変換部２０及び前記ＤＡ変換部３０へのクロック信号ＣＰ，ＣＰＲＢの供給は、同じクロック信号発生部から行われるようになっているため、これらのＡＤ変換部２０及びＤＡ変換部３０が同じサンプリング周波数（厳密に一致するサンプリング周波数）で信号の形式を変換（つまり、アナログ形式からデジタル形式への変換、或いはその逆の変換）することが可能となる。その結果、送信器側に入力されたアナログ信号を受信器側で正確に復元することができることとなる。また、クロック信号発生部を共用化できる分、クロック信号発生部の個数を減らすことができ、装置の構造を簡単にすることができる。
【００２８】
なお、本発明では、
・  共通のクロック信号発生部から前記ＡＤ変換部２０及び前記ＤＡ変換部３０の双方にクロック信号を供給すること、
及び、
・  それらのＡＤ変換部２０及びＤＡ変換部３０が同じサンプリング周波数で信号の形式を変換すること
は必須事項であるが、前記ＡＤ変換部２０に入力される時点でのクロック信号の周波数と、前記ＤＡ変換部３０に入力される時点でのクロック信号の周波数は、必ずしも同一でなくても良い。それらの周波数が異なっていても、前記ＡＤ変換部２０及び前記ＤＡ変換部３０の両方又は一方で適正な分周を行えば、サンプリング周波数を同じにすることができるからである。
【００２９】
ところで、図１においては、クロック信号発生部が配置されている位置は、
(a)  前記送信器２の内部
であるが、これに限定されるものではなく、
(b)  前記受信器３の内部
であっても、
(c)  前記送信器２及び前記受信器３の外部
であっても良い。クロック信号の伝送経路は、当然ながらクロック信号発生部の配置位置によって異なり、
・  前記(a)の場合には前記送信器２から前記受信器３に伝送すれば良く、
・  前記(b)の場合には少なくとも前記受信器３から前記送信器２に伝送すれば良く、
・  前記(c)の場合には前記クロック信号発生部から前記送信器２及び前記受信器３の双方に伝送すれば良い。クロック信号伝送経路の数を少なくでき、回路構成が簡単になるという点では、(b)や(c)よりも(a)の方式が好ましい。
【００３０】
なお、本発明は、送信器２と受信器３との離間距離が短くても長くても適用することができる。送信器２と受信器３とをケーブル（符号４参照）にて接続し、情報信号Ｓ，Ｒ，Ｇ，Ｂやクロック信号ＣＰの伝送が該ケーブルを介して行われるようにすると良い。このケーブルには、ＬＡＮなどの配線に使われるツイストペアケーブルを使用すると良い。ところで、図１に示す情報信号伝送装置１では、情報信号Ｓ，Ｒ，Ｇ，Ｂは送信器２から受信器３の方向だけに伝送されているが、逆の方向（つまり、受信器３から送信器２の方向）にも伝送されるようにしても良い。
【００３１】
なお、前記(a)の場合には、上述した音声等の情報信号及びクロック信号を共に前記送信器２から前記受信器３に伝送する必要があるが、その方式としては、
(a-1)  情報信号（例えば、音声信号Ｓ）及びクロック信号ＣＰを異なる伝送経路で送る方式と、
(a-2)  情報信号（例えば、音声信号Ｓ）及びクロック信号ＣＰを同一の伝送経路で送る方式
とが考えられる。(a-2)の方式の場合、(a-1)の方式の場合に比べて、伝送経路（信号線）の数を少なくすることができる。
【００３２】
ところで、
・  前記(a)の場合には、前記送信器２から前記受信器３にクロック信号を伝送する必要があり、
・  前記(b)の場合には、前記受信器３から前記送信器２にクロック信号を伝送する必要があり、
・  前記(c)の場合には、クロック信号発生部から前記送信器２及び前記受信器３の双方にクロック信号を伝送する必要がある、
が、そのようなクロック信号の伝送をケーブルで行う場合であって、しかも、クロック信号の伝送距離が長い場合には、ケーブルを伝送されるときのクロック信号の周波数を１０ＭＨｚ以下にして、伝送時におけるクロック信号の減衰の程度を少なくすると良い。図１に示す装置では、クロック信号発生部（符号２１参照）が前記送信器２に配置され、前記送信器２と前記受信器３との間にはケーブル４が介装され、前記クロック信号発生部２１から前記ＤＡ変換部３０へのクロック信号ＣＰの伝送が該ケーブル４を介して行われるが、（クロック信号の伝送が、情報信号と同一経路で行う場合であってもなくても）該ケーブル４を伝送されるときのクロック信号ＣＰの周波数は１０ＭＨｚ以下にすると良い。
【００３３】
クロック信号発生部としては、水晶発振器を利用したものや、ＶＣＯ（Ｖｏｌｔａｇｅ  Ｃｏｎｔｒｏｌｌｅｄ  Ｏｓｃｉｌｌａｔｏｒ）を挙げることができる。このようなクロック信号発生部からのクロック信号は、前記ＡＤ変換部２０や前記ＤＡ変換部３０にて分周すると良い。例えば、ＭＨｚオーダーのクロック信号を発生する水晶発振器をクロック信号発生部に用いた場合には、前記ＡＤ変換部２０や前記ＤＡ変換部３０では分周して数十ｋＨｚ程度（例えば、４４．１ｋＨｚ）のサンプリング周波数にすると良い。クロック信号の減衰を防止するために、上述のように前記送信器２や前記受信器３に低い周波数でクロック信号を伝送する場合は、ＰＬＬ回路等で構成した周波数逓倍部（不図示）を前記送信器２や前記受信器３に配置しておいて、クロック信号を逓倍し、高い周波数のクロック信号を生成できるようにしておくと良い。例えば、前記送信器２から前記受信器３にクロック信号ＣＰを伝送する場合、前記受信器３の側には周波数逓倍部（不図示）を設けておいて、前記ＤＡ変換部３０に供給されるクロック信号ＣＰＲＢの周波数が逓倍されるようにしておくと良い。そして、前記ＡＤ変換部２０及び前記ＤＡ変換部３０には、同じ周波数（例えば、１１．３ＭＨｚ）のクロック信号が入力されるようにしても良い。このように、クロック信号を伝送する先に周波数逓倍部を設けておけば、高い周波数のままでクロック信号を伝送する必要がなくなり、低い周波数でのクロック信号の伝送が可能となるので、クロック信号の減衰の程度を少なくすることができる。
【００３４】
ここで、前記(a-2)の方式（つまり、情報信号及びクロック信号を同一の伝送経路で送る方式）について補足する。
【００３５】
(a-2)の方式を達成するには、前記ＡＤ変換部２０によりデジタル形式に変換された信号を前記クロック信号ＣＰに基づき周波数変調する変調部２２を前記送信器２に配置し、
・  該周波数変調されて伝送されてきた信号ＳＤＭからクロック信号ＣＰＲＢを再生するクロック信号再生部３１と、
・  該周波数変調されて伝送されてきた信号ＳＤＭを周波数変調される前の信号に復調する復調部３２と、
を前記受信器３に配置すると良い。そのように構成した場合、前記ＤＡ変換部３０は、前記復調部３２によって復調された信号をアナログ形式に変換することとなる。このＤＡ変換部３０が信号の変換に用いるクロック信号には、前記クロック信号発生部２１により供給され、前記クロック信号再生部３１にて再生された信号ＣＰＲＢを用いると良い。この場合、送信器側ではクロック信号に基づく周波数変調が行われ、受信器側では、伝送されてきた信号からクロック信号ＣＰＲＢが再生されるので、情報信号とクロック信号とを同一の経路で伝送することができ、信号線の本数を減らすことができる。
【００３６】
ところで、パラレル信号をシリアル信号に変換するパラレル／シリアル変換部２３をＡＤ変換部２０に接続しておき、シリアル信号をパラレル信号に変換するシリアル／パラレル変換部３３をＤＡ変換部３０に接続しておいて、送信器２から受信器３への信号の伝送を、シリアル信号の状態で行うようにすると良い。例えば、ステレオの音声データを情報信号で伝送する場合には、アナログ形式の左側音声信号ＳＬＡ及び右側音声信号ＳＲＡを前記ＡＤ変換部２０によりデジタル形式の信号ＳＬＤ，ＳＲＤにそれぞれ変換し、該デジタル形式の左側音声信号ＳＬＤ及び右側音声信号ＳＲＤを前記パラレル／シリアル変換部２３によりシリアル信号ＳＤに変換し、該シリアル信号ＳＤを前記変調部２２により上述のように周波数変調し、該周波数変調されたシリアル信号ＳＤＭを伝送し、該伝送されてきたシリアル信号を前記シリアル／パラレル変換部３３によりパラレル信号ＳＬＤ，ＳＲＤに変換すると良い。
【００３７】
上述のようにクロック信号に基づき周波数変調する場合、クロック信号の周波数は、伝送すべき情報信号のデータ量等に依存するものとなる。例えば、上述のようにステレオの音声データを情報信号で伝送する場合であって、前記周波数変調をクロック信号ＣＰに基づき行う場合において、デジタル形式の左側音声信号ＳＬＤ及び右側音声信号ＳＲＤのビット数をそれぞれＡ（ビット）とし、ＡＤ変換部２０におけるサンプリング周波数をＢ（ｋＨｚ）とすると、周波数変調に用いるクロック信号の周波数は、
（式１）
２＊Ａ＊Ｂ（ｋＨｚ）
にすると良い。例えば、左側及び右側音声信号をそれぞれ１６ビットのデジタル信号に変換し、ＡＤ変換部２０におけるサンプリング周波数を４４．１ｋＨｚにした場合、周波数変調に用いるクロック信号の周波数は、下式に基づき１．４ＭＨｚ以上にすると良い。これにより、音声を高品質のまま伝送することができる。
（式２）
２＊１６＊４４．１ｋＨｚ≒１．４ＭＨｚ
【００３８】
上述したクロック信号ＣＰと同様に情報信号Ｓ，Ｒ，Ｇ，Ｂも伝送される過程で減衰するが、情報信号については、その減衰の度合い（減衰の程度、例えば減衰率）を検知し、該検知した減衰度合いに基づき、減衰前の状態に復元してやると良い。なお、情報信号の減衰の度合いは、情報信号が伝送される信号線の材質や太さや長さ、及び信号の周波数に応じて変化する反面、情報信号の種類（例えば、音声信号であるか、映像信号であるかの違い）にはあまり依存しない。したがって、複数種類の情報信号を伝送する場合には、いずれか１つの情報信号（例えば、音声信号）に関して減衰度合いを検知し、該減衰度合いに基づき、他の種類の情報信号（例えば、映像信号）を復元するようにしても良い。かかる情報信号の復元に際しては、減衰度合いだけでなく、信号線の材質や太さや長さの違い（つまり、減衰度合いを検知する方の情報信号が伝送される信号線の材質や太さや長さと、復元の対象となる情報信号が伝送される信号線の材質や太さや長さとの異同）を考慮する必要があるが、それら（つまり、減衰度合いを検知する方の情報信号が伝送される信号線の材質や太さや長さと、復元の対象となる情報信号が伝送される信号線の材質や太さや長さ）を同じにしてやると、情報信号の減衰度合いは周波数のみに依存することとなり、周波数が同じであれば、一方の情報信号の減衰度合いと他方の情報信号の減衰度合いとが等しくなり、そのような関係を利用して情報信号の復元を正確に行うことができる。１つ又は複数の周波数につき前記減衰度合いを検知し、周波数成分毎に情報信号の復元を行うと良い。
【００３９】
例えば、前記送信器２から前記受信器３に伝送される情報信号が音声信号Ｓと映像信号Ｒ，Ｇ，Ｂである場合には、前記変調部２２により音声信号Ｓを周波数変調し、前記音声信号Ｓが前記送信器２から前記受信器３に伝送されたことに伴い減衰した減衰度合いを減衰度合い検知部（例えば、図６に示す低域ゲイン調整部３５６、及び高域ゲイン調整部３５９）により検知し、該減衰度合い検知部（例えば、図６に示す低域ゲイン調整部３５６、及び高域ゲイン調整部３５９）にて検知した減衰度合いに基づき、伝送されたことに伴い減衰した前記映像信号Ｒ，Ｇ，Ｂを映像信号復元部（例えば、図６に示す低域映像補償部３５０、及び高域映像補償部３５１）により減衰前の状態に復元すると良い。そのようにした場合には、前記送信器２と前記受信器３との間が離れていたとしても、高品質な映像を再生することができる。この場合、音声信号の方は減衰前の状態に復元しなくても良い。
【００４０】
本発明に係る情報信号伝送方法は、少なくとも１種類の情報信号Ｓを前記送信器２から前記受信器３に伝送する方法であって、
・  前記送信器２の側にて、少なくとも１種類の情報信号Ｓをアナログ形式ＳＬＡ，ＳＲＡからデジタル形式ＳＬＤ，ＳＲＤに変換するステップと、
・  該デジタル形式に変換された情報信号を前記受信器３に伝送するステップと、
・  前記受信器３の側にて、前記デジタル形式に変換されて伝送されてきた情報信号ＳＬＤ，ＳＲＤをアナログ形式ＳＬＡ，ＳＲＡに再変換するステップと、
を備えている。そして、前記情報信号Ｓをデジタル形式ＳＬＤ，ＳＲＤに変換するステップと、前記情報信号ＳＬＤ，ＳＲＤをアナログ形式ＳＬＡ，ＳＲＡに再変換するステップとは、同一のクロック信号発生部（図１の符号２１参照）にて発生されたクロック信号ＣＰ，ＣＰＲＢを利用して、同じサンプリング周波数で行われる、ようになっている。本発明によれば、送信器側に入力されたアナログ信号を受信器側で正確に復元することができる。また、クロック信号発生部を共用化できる分、クロック信号発生部の個数を減らすことができ、装置の構造を簡単にすることができる。
【００４１】
なお、
・  前記送信器２の側にて、前記デジタル形式に変換された信号ＳＬＤ，ＳＲＤを前記クロック信号ＣＰに基づき周波数変調した上で伝送するステップと、
・  該周波数変調されて前記受信器３に伝送されてきた信号ＳＤＭからクロック信号ＣＰＲＢを再生するステップと、
・  該周波数変調されて前記受信器に伝送されてきた信号ＳＤＭを周波数変調される前の信号ＳＤに復調するステップと、
を備え、前記アナログ形式に再変換される信号は、前記復調された信号ＳＤであり、前記アナログ形式への再変換に用いられるクロック信号は、前記再生されたクロック信号ＣＰＲＢであるようにすると良い。
【実施例１】
【００４２】
次に、本発明に係る一実施例について、図１乃至図６に沿って説明する。ここで、図１は、本発明に係る情報信号伝送装置の構造の一例を示すブロック図であり、図２は、本発明に係る情報信号伝送装置の使用状態の一例を示すブロック図である。また、図３(a)は、変調部への入力信号の一例を示す波形図であり、同図(b)は、変調部からの出力信号の一例を示す波形図である。さらに、図４(a)は、クロック信号再生部への入力信号の一例を示す波形図であり、同図(b)は、クロック信号再生部からの出力信号の一例を示す波形図である。また、図５(a)は、シリアル変調信号の一部である矩形波パルスの形状を示す波形図であり、同図(b)は、伝送された後の矩形波パルスの形状を示す波形図であり、同図(c)は、それらの矩形波パルスから抽出した低域周波数の成分の形状を示す波形図であり、同図(d)は、それらの矩形波パルスから抽出した高域周波数の成分の形状を示す波形図である。さらに、図６は、減衰補償部の構造を示すブロック図である。
【００４３】
本実施例では、図１に示す構成の情報信号伝送装置１を作製した。この情報信号伝送装置１は、音声信号（情報信号）Ｓ及び映像信号（情報信号）Ｒ，Ｇ，Ｂ等を送信する送信器２と、それらの信号Ｓ，Ｒ，Ｇ，Ｂを受信する受信器３と、該送信器２から該受信器３へそれらの信号Ｓ，Ｒ，Ｇ，Ｂを伝送するツイストペアケーブル４と、により構成した。
【００４４】
そして、送信器２には、図示のようにＡＤ変換部２０やクロック信号発生部２１や変調部２２やパラレル／シリアル変換部２３や同期信号付加部２４を配置し、受信器３には、図示のようにＤＡ変換部３０やクロック信号再生部３１や復調部３２やシリアル／パラレル変換部３３や２値化部３４や減衰補償部３５や同期信号分離部３６や同期信号復元部３７を配置した。なお、ツイストペアケーブル４には、４本の信号線４Ａ，４Ｂ，４Ｃ，４Ｄを有するものを使用した。
【００４５】
本実施例では、クロック信号発生部２１には、水晶発振器を有するもので、１１．３ＭＨｚの周波数のクロック信号ＣＰを出力するものを用いた。
【００４６】
また、ＡＤ変換部２０には、前記クロック信号ＣＰを２５６分の１に分周してサンプリング周波数を４４．１ｋＨｚとし、量子化ビット数を８ビットとするものを用いた。このＡＤ変換部２０により、音声信号Ｓはアナログ形式ＳＬＡ，ＳＲＡからデジタル形式ＳＬＤ，ＳＲＤに変換される。例えば、あるタイミングでサンプリングした音声データが「００１０１１００」だった場合、前記ＡＤ変換部２０から出力される音声デジタル信号（ＳＬＤ又はＳＲＤ）は、図３(a)に示す通り、
・  ｔ１〜ｔ３；Ｖ＝０
・  ｔ３〜ｔ４；Ｖ＝Ｖ０
・  ｔ４〜ｔ５；Ｖ＝０
・  ｔ５〜ｔ７；Ｖ＝Ｖ０
・  ｔ７〜ｔ９；Ｖ＝０
となる。
【００４７】
上述したパラレル／シリアル変換部２３は、ＡＤ変換部２０から出力される左側音声デジタル信号ＳＬＤ及び右側音声デジタル信号ＳＲＤをシリアル信号ＳＤに変換するものである。これにより、
・  あるタイミングでサンプリングされた左側音声デジタル信号ＳＬＤ
・  そのタイミングでサンプリングされた右側音声デジタル信号ＳＲＤ
・  次のタイミングでサンプリングされた左側音声デジタル信号ＳＬＤ
・  そのタイミングでサンプリングされた右側音声デジタル信号ＳＲＤ
・  さらに次のタイミングでサンプリングされた左側音声デジタル信号ＳＬＤ
・  そのタイミングでサンプリングされた右側音声デジタル信号ＳＲＤ
…………という順番で各信号が配列されて行き、シリアル信号ＳＤが形成されることとなる（結局、図３(a)に示す信号がシリアル信号ＳＤの一部をなす）。そして、同期信号ＨＤ，ＶＤの極性についての情報ＰＩ（詳細は次述する）、及び音声デジタル信号ＳＬＤ，ＳＲＤや情報ＰＩと明確に区別できる信号（以下、“区切り信号”とする）が、右側音声デジタル信号ＳＲＤと左側音声デジタル信号ＳＬＤとの間のそれぞれに配置される。各信号及び情報がこのように配列されるため、区切り信号の位置を検出することにより、他の信号ＳＬＤ，ＳＲＤや情報ＰＩの位置を特定することができることとなる。
【００４８】
上述した変調部２２は、前記クロック信号発生部２１からのクロック信号ＣＰに基づき、パラレル／シリアル変換部２３から出力されるシリアル信号ＳＤの周波数変調を行う。具体的には、変調部２２は、入力されてくるシリアル信号（図３(a)のＳＤ参照）の電圧がＶ０／２よりＬｏｗかＨｉｇｈかを時間Ｔ毎に（クロック信号に同期したタイミングで）判別し、
・  Ｖ＝０（Ｌｏｗ）のときは、同図(b)に示すように、パルス幅がＴ／２のパルスＰＬ０を１つだけ出力し、
・  Ｖ＝Ｖ０（Ｈｉｇｈ）のときは、パルス幅がＴ／４のパルスＰＬ１を２つ出力する。これにより、Ｖ＝Ｖ０（Ｈｉｇｈ）のときの搬送波の周波数が、Ｖ＝０（Ｌｏｗ）のときの搬送波の周波数の２倍となるような周波数変調がなされ、図３(a)に示すシリアル信号ＳＤに基づき同図(b)に示すシリアル変調信号ＳＤＭが生成されることとなる。
【００４９】
一方、上述した同期信号付加部２４は、同期信号ＨＤ，ＶＤを色信号Ｂに重畳するものである。具体的には、同期信号付加部２４は、同期信号ＨＤ，ＶＤの極性を判別し、正極性の場合は負極性に反転させた上で色信号Ｂへの重畳を行い、負極性の場合はそのまま反転させずに色信号Ｂへの重畳を行なう。なお、この同期信号ＨＤ，ＶＤの極性についての情報ＰＩは、受信器側でも必要となるので、前記パラレル／シリアル変換部２３に送られて、シリアル信号ＳＤに組み込まれる。これにより、受信器３の側に伝送すべき信号は、
・  色信号Ｒ
・  色信号Ｇ
・  同期信号ＨＤ，ＶＤが重畳された色信号Ｂ
・  上述したシリアル変調信号ＳＤＭ
の４つとなり、ツイストペアケーブル４の４本の信号線４Ａ，４Ｂ，４Ｃ，４Ｄにより受信器３に伝送することができる。
【００５０】
また、受信器側の２値化部３４は、コンパレータを有していて、アナログ信号を２値化してデジタル信号に変換するように構成されている。
【００５１】
クロック信号再生部３１は、図４(a)に示すようなシリアル変調信号ＳＤＭから、同図(b)に示すような再生クロック信号ＣＰＲＢを出力するように構成されている。以下、このクロック信号再生部３１について説明する。
【００５２】
クロック信号再生部３１は、ワンショット・マルチバイブレータ（単安定マルチバイブレータ）を有していて、パルス（トリガパルス）が入力されると、一定幅（３Ｔ／４の幅）のパルスＰＬ２を出力するように構成されている。他方、周波数変調されて伝送されてきた信号（シリアル変調信号）ＳＤＭは、図４(a)に示すように、幅の異なる２種類のパルスＰＬ０，ＰＬ１により構成されているが、時間Ｔが経過する時点（つまり、各ビットタイムの開始時点ｔ１１，ｔ１２，ｔ１３，ｔ１４，ｔ１５，ｔ１６，ｔ１７，ｔ１８）では、パルスＰＬ０かＰＬ１のいずれかが必ず出力されるので、クロック信号再生部３１からは各ビットタイムの開始時点ｔ２１，ｔ２２，ｔ２３，ｔ２４，ｔ２５，ｔ２６，ｔ２７，ｔ２８で必ずパルスＰＬ２が出力されることとなる（同図(b)参照）。なお、パルスＰＬ１が出力されるビットタイムでは、Ｔ／２の経過後（例えば、ｔ１３’参照）に再びパルスＰＬ１が出力されるが、該２回目のパルスＰＬ１が出力される時点（同図(b)の符号ｔ２３’参照）ではクロック信号再生部３４はパルスＰＬ２を出力中であるため、パルスＰＬ２が再度出力されることは無い。したがって、シリアル変調信号ＳＤＭにおけるパルスＰＬ０，ＰＬ１の配列順序にかかわらず、パルスＰＬ２が一定間隔で出力され、これによりクロック信号が再生されることとなる。
【００５３】
本実施例では、クロック信号発生部２１にて発生されるクロック信号ＣＰの周波数は１１．３ＭＨｚであり、前記ＡＤ変換部２０では２５６分の１に分周されてサンプリング周波数は４４．１ｋＨｚとされ、サンプリングされた左右の音声アナログ信号ＳＬＡ，ＳＲＡは８ビットのデジタル信号ＳＬＤ，ＳＲＤに変換される。したがって、クロック信号再生部３１にて再生されるクロック信号（再生クロック信号）の周波数は、おおよそ７００ｋＨｚ（≒４４．１ｋＨｚ×８×２）であるが、本実施例では不図示のＰＬＬ回路（周波数逓倍部）により１６倍に逓倍し、１１．３ＭＨｚのクロック信号ＣＰＲＢを再生できるようにした。
【００５４】
復調部３２は、前記変調部２２がしたのとは逆の処理を行い、前記２値化部３４からのシリアル変調信号ＳＤＭから、周波数変調される前の信号（左右の音声デジタル信号ＳＬＤ，ＳＲＤや極性情報ＰＩやパターン情報等が配列されている信号）を復調する。
【００５５】
シリアル／パラレル変換部３３は、シリアル信号ＳＤの中のパターン情報に基づいて極性情報ＰＩや左側音声デジタル信号ＳＬＤや右側音声デジタル信号ＳＲＤの位置を特定すると共に、１１．３ＭＨｚの再生クロック信号ＣＰＲＢを２５６分の１に分周し、４４．１ｋＨｚのサンプリング周波数にてシリアル信号ＳＤをパラレル信号ＳＬＤ，ＳＲＤに変換する。なお、極性情報ＰＩは同期信号復元部３７に出力される。
【００５６】
上述したクロック信号ＣＰＲＢとパラレル信号ＳＬＤ，ＳＲＤが入力されることに基づき、ＤＡ変換部３０は４４．１ｋＨｚのサンプリング周波数にて左側音声デジタル信号ＳＬＤ及び右側音声デジタル信号ＳＲＤを左右の音声アナログ信号ＳＬＡ，ＳＲＡに変換する。このクロック信号ＣＰＲＢは、クロック信号発生部２１にて発生されてクロック信号再生部３１にて再生されたものであるため、ＡＤ変換部２０に入力されるクロック信号ＣＰとＤＡ変換部３０に入力されるクロック信号ＣＰＲＢとは周波数が完全に一致し、送信器側で入力されたアナログ信号を受信器側で正確に復元することが可能となる。
【００５７】
ところで、送信器２と受信器３との間の離間距離が長い程、その間を伝送されてくる映像信号Ｒ，Ｇ，Ｂや音声信号Ｓは減衰する。音声信号Ｓは、多少減衰しても音声再生上は特に不都合は生じないが、映像信号Ｒ，Ｇ，Ｂは、減衰したままでは映像の品質が悪くなってしまうので、本実施例では、映像信号Ｒ，Ｇ，Ｂに関してのみ減衰補償部３５による減衰補償を行うようにしている。以下、この点につき詳述する。
【００５８】
減衰補償は、伝送される信号が減衰する度合いを検知し、その減衰度合いに基づいて行うことが必要である。この減衰度合いは、一般に、信号線の材質や太さや長さ、並びに信号の周波数に応じて異なるものの、信号の種類には依存しない（つまり、映像信号の減衰補償は、映像信号にて検知した減衰度合いに基づき行っても、音声信号にて検知した減衰度合いに基づき行っても良い）。本実施例の場合、音声信号にて減衰度合いを検知する方が容易なので、音声信号にて検知した減衰度合いに基づき映像信号の減衰補償を行うようにしている。なお、本実施例では、映像信号を伝送するための信号線、及び音声信号を伝送するための信号線は、材質や太さや長さを等しくしているので、減衰補償は、専ら周波数だけを考慮して行えば良い。また、本実施例では、伝送される音声信号（上述したシリアル変調信号）は、図５(a)の符号ＰＬ０に示すような矩形波パルスから構成されていて、低域から高域まで（理論的には無限の周波数まで）の周波数成分が含まれているが、全ての周波数成分に関して減衰度合いを検知する必要はなく、１つとか２つとかの周波数成分に関してのみ検知すれば良い。本実施例では、後述のように、低域ゲイン調整部３５６と高域ゲイン調整部３５９によって、２つの周波数成分について減衰度合いを検知するようにしている。さらに、映像信号に関しては、減衰度合いを検知した周波数成分に関してのみ減衰補償を行うのではなく、それ以外の周波数成分に関しても減衰補償を行っている。
【００５９】
ところで、減衰補償部３５は、図６に詳示するように、低域映像補償部（映像信号復元部）３５０、高域映像補償部（映像信号復元部）３５１、低域矩形波補償部３５２、高域矩形波補償部３５３、ローパスフィルタ３５４、低域ピーク検出部３５５、低域ゲイン調整部（減衰度合い検知部）３５６、ハイパスフィルタ３５７、高域ピーク検出部３５８及び高域ゲイン調整部（減衰度合い検知部）３５９などを有している。
【００６０】
音声信号（上述したシリアル変調信号）ＳＤＭは、伝送される過程で減衰される（減衰後の音声信号を必要に応じて“減衰音声信号”と称し、符号ＳＤＭ＊で表す）。この音声信号ＳＤＭは、図５(a)の符号ＰＬ０に示すような矩形波パルスから構成されているため、該矩形波パルスＰＬ０は、同図(b)に実線ＰＬ０＊で示すような形状に減衰される（必要に応じて“減衰矩形波パルス”と称す）。この減衰音声信号ＳＤＭ＊は、受信器３側の減衰補償部３５に入力され（図６参照）、低域矩形波補償部３５２及び高域矩形波補償部３５３をそのまま（つまり、後述するように増幅されずに）通過してローパスフィルタ３５４に入力される。そして、該ローパスフィルタ３５４にて低帯域の周波数成分が抽出され（図５(c)の符号ＰＬ０１＊参照）、そのピーク電圧Ｖ０１＊が低域ピーク検出部３５５にて検出され、低域ゲイン調整部３５６では、電圧（減衰されない場合のピーク電圧）Ｖ０と電圧（減衰されたときのピーク電圧）Ｖ０１＊との差分電圧ΔＶ０１が演算され（図５(c)参照）、演算した差分電圧ΔＶ０１に応じた低域ゲイン調整電圧Ｖｃ０１が低域映像補償部３５０及び低域矩形波補償部３５２にフィードバックされるようになっている（図６参照）。これらの低域映像補償部３５０及び低域矩形波補償部３５２は可変ゲインアンプ（不図示）を有していてゲイン（低域ゲインＧＬ）が前記低域ゲイン調整電圧Ｖｃ０１に基づいて調整されるようになっている。
【００６１】
低域矩形波補償部３５２及び高域矩形波補償部３５３を通過した減衰音声信号ＳＤＭ＊は、ハイパスフィルタ３５７に入力されて高帯域の周波数成分が抽出され（図５(d)の符号ＰＬ０２＊参照）、そのピーク電圧Ｖ０２＊が高域ピーク検出部３５８にて検出され、高域ゲイン調整部３５９では、電圧（減衰されない場合のピーク電圧）Ｖ０と電圧（減衰されたときのピーク電圧）Ｖ０２＊との差分電圧ΔＶ０２が演算され（図５(d)参照）、演算した差分電圧ΔＶ０２に応じた高域ゲイン調整電圧Ｖｃ０２が高域映像補償部３５１及び高域矩形波補償部３５３にフィードバックされるようになっている（図６参照）。これらの高域映像補償部３５１及び高域矩形波補償部３５３は可変ゲインアンプ（不図示）を有していてゲイン（高域ゲインＧＨ）が前記高域ゲイン調整電圧Ｖｃ０２に基づいて調整されるようになっている。
【００６２】
低域ゲイン調整電圧Ｖｃ０１及び高域ゲイン調整電圧Ｖｃ０２がフィードバックされることに伴い、低域矩形波補償部３５２及び高域矩形波補償部３５３のゲイン（低域ゲインＧＬ及び高域ゲインＧＨ）が調整され、音声信号の各周波数成分が増幅される。その結果、低域ピーク検出部３５５及び高域ピーク検出部３５８により検出されるピーク電圧Ｖ０１＊及びピーク電圧Ｖ０２＊は、増幅される前よりも高くなり、低域ゲイン調整部３５６及び低域ゲイン調整部３５６が求める差分電圧ΔＶ０１及び差分電圧ΔＶ０２は小さくなり、低域ゲイン調整電圧Ｖｃ０１及び高域ゲイン調整電圧Ｖｃ０２も小さくなり、低域映像補償部３５０及び高域映像補償部３５１における低域ゲインＧＬ及び高域ゲインＧＨの増分が小さくなる。そして、差分電圧ΔＶ０１、ΔＶ０２が０となったところで、低域ゲインＧＬ及び高域ゲインＧＨが所定値に到達する。
【００６３】
上述のようにして低域映像補償部３５０及び高域映像補償部３５１の低域ゲインＧＬ及び高域ゲインＧＨが所定値に到達するが、これらの補償部３５０，３５１には映像信号（伝送されてきて減衰している状態のもの）Ｒ＊，Ｇ＊，Ｂｐ＊が入力されるので、低域映像補償部３５０では低域周波数成分が増幅され、高域映像補償部３５１では高域周波数成分が増幅される。
【００６４】
このようにして減衰補償された映像信号Ｒ，Ｇ，Ｂｐは、同期信号分離部（図１の符号３６参照）に入力され、色信号Ｂに重畳されていた同期信号ＨＤ、ＶＤが分離されて、同期信号復元部３７に対して出力される。この同期信号復元部３７は、上述したように入力された極性情報ＰＩに基づき、負極性の同期信号ＨＤ、ＶＤを出力する。例えば、極性情報ＰＩが負極性ならば同期信号ＨＤ、ＶＤをそのまま出力し、極性情報ＰＩが正極性ならば極性を反転させた上で同期信号ＨＤ、ＶＤを出力するようにする。
【００６５】
ところで、本実施例では、図２に示すように、送信器２にはパソコン５をケーブル６Ａ，６Ｂで接続して映像信号（具体的には、色信号Ｒ，Ｇ，Ｂ、及び同期信号ＨＤ，ＶＤ）やアナログ音声信号ＳＬＡ，ＳＲＡを入力できるようにし、受信器３にはディスプレイ７をケーブル８Ａ，８Ｂで接続して映像信号（前記同期信号分離部３６からの色信号Ｒ，Ｇ，Ｂや、前記同期信号復元部３７からの同期信号ＨＤ，ＶＤ）や音声信号（前記ＤＡ変換部３０からのアナログ音声信号ＳＬＡ，ＳＲＡ）を出力できるようにした。
【図面の簡単な説明】
【００６６】
【図１】図１は、本発明に係る情報信号伝送装置の構造の一例を示すブロック図である。
【図２】図２は、本発明に係る情報信号伝送装置の使用状態の一例を示すブロック図である。
【図３】図３(a)は、パラレル／シリアル変換部への入力信号の一例を示す波形図であり、同図(b)は、パラレル／シリアル変換部からの出力信号の一例を示す波形図である。
【図４】図４(a)は、クロック信号発生部への入力信号の一例を示す波形図であり、同図(b)は、クロック信号発生部からの出力信号の一例を示す波形図である。
【図５】図５(a)は、シリアル変調信号の一部である矩形波パルスの形状を示す波形図であり、同図(b)は、伝送された後の矩形波パルスの形状を示す波形図であり、同図(c)は、それらの矩形波パルスから抽出した低域周波数の成分の形状を示す波形図であり、同図(d)は、それらの矩形波パルスから抽出した高域周波数の成分の形状を示す波形図である。
【図６】図６は、減衰補償部の構造を示すブロック図である。
【図７】図７は、従来の情報信号伝送装置の構成の一例を示すブロック図である。
【符号の説明】
【００６７】
１            情報信号伝送装置
２            送信器
３            受信器
４            ツイストペアケーブル
２０          ＡＤ変換部
２１          クロック信号発生部
２２          変調部
２３          パラレル／シリアル変換部
３０          ＤＡ変換部
３１          クロック信号再生部
３２          復調部
３３          シリアル／パラレル変換部
３５０        低域映像補償部（映像信号復元部）
３５１        高域映像補償部（映像信号復元部）
３５６        低域ゲイン調整部（減衰度合い検知部）
３５９        高域ゲイン調整部（減衰度合い検知部）
ＣＰ          クロック信号
ＣＰＲＢ        クロック信号
Ｒ，Ｇ，Ｂ    映像信号（情報信号）
Ｓ            音声信号（情報信号）
【図１】
2006081090.tif 000003
【図２】
2006081090.tif 000004
【図３】
2006081090.tif 000005
【図４】
2006081090.tif 000006
【図５】
2006081090.tif 000007
【図６】
2006081090.tif 000008
【図７】
2006081090.tif 000009